(57)【特許請求の範囲】
【請求項１】
ユーザ装置（２０）による、電気通信ネットワーク（１００）内でのパケット交換緊急呼の改善された取り扱いのための方法であって、
前記パケット交換緊急呼が、前記ユーザ装置（２０）が前記電気通信ネットワーク（１００）に接続されている間に、前記ユーザ装置（２０）によって開始され、または開始されることになり、前記電気通信ネットワーク（１００）が、アクセスネットワーク（１１０）およびコアネットワーク（１２０）を含み、前記アクセスネットワーク（１１０）が、パケット交換指向アクセスネットワーク（１１０）であり、
前記ユーザ装置（２０）が、ローカル緊急サービス情報（２００）を含むか、またはアクセスすることができ、前記ローカル緊急サービス情報（２００）は、前記電気通信ネットワーク（１００）または別の電気通信ネットワーク（１００’）によって前記ユーザ装置（２０）にプロビジョニングまたは提供され、
前記方法が、少なくとも以下のステップ：
第１のステップにおいて、前記パケット交換緊急呼が開始され、緊急ユニフォーム・リソース名（２８０）が、前記ユーザ装置（２０）によって前記電気通信ネットワーク（１００）のネットワーク・ノード（１５０）に送信され、ここで、前記緊急ユニフォーム・リソース名（２８０）が、国情報および／またはネットワーク情報と、緊急タイプ情報および緊急呼電話番号情報のうちの少なくとも１つとの両方を含み、
前記第１のステップに続く第２のステップにおいて、前記パケット交換緊急呼が、公衆安全応答ポイント（１８０）へと転送され、またはルーティングされ、ここで、前記公衆安全応答ポイント（１８０）が、送信された緊急ユニフォーム・リソース名（２８０）に応じて選択される、
を含む、方法。
【請求項２】
前記公衆安全応答ポイント（１８０）が、
前記緊急ユニフォーム・リソース名（２８０）の前記緊急タイプ情報、および／または前記緊急ユニフォーム・リソース名（２８０）の前記緊急呼電話番号情報に応じて、あるいは、
前記緊急ユニフォーム・リソース名（２８０）の前記国情報および／もしくは前記ネットワーク情報と前記緊急タイプ情報とに応じて、ならびに／または、前記緊急ユニフォーム・リソース名（２８０）の前記国情報および／もしくは前記ネットワーク情報と前記緊急呼電話番号情報とに応じて、のいずれかで選択される、
請求項１に記載の方法。
【請求項３】
前記アクセスネットワーク（１１０）が、パケット交換専用アクセスネットワークであり、とりわけ前記コアネットワーク（１２０）が、パケット交換コアネットワークであり、とりわけ前記公衆安全応答ポイント（１８０）が、回線交換ネットワークを介して前記コアネットワーク（１２０）に接続される、ならびに／または、とりわけ前記アクセスネットワーク（１１０）および／もしくは前記コアネットワーク（１２０）が、パケット交換緊急呼を取り扱うために特化したネットワーク・スライスに対応する、請求項１または２に記載の方法。
【請求項４】
前記ローカル緊急サービス情報（２００）が、とりわけ７つのタイプよりも多い緊急サービスに関連した、異なる緊急サービスに関連したおよび／または異なる緊急呼電話番号に関連したプロビジョニング情報の部分を含み、前記緊急ユニフォーム・リソース名（２８０）が、前記ローカル緊急サービス情報（２００）のプロビジョニング情報の少なくとも１つの部分に関連し、プロビジョニング情報の前記部分が、各タイプの緊急サービスのための、および／または各緊急呼電話番号のための、緊急ユニフォーム・リソース名（２８０）をとりわけ含む、請求項１乃至３のいずれか１項に記載の方法。
【請求項５】
前記ローカル緊急サービス情報（２００）が、さらなるプロビジョニング情報の部分を含み、前記さらなるプロビジョニング情報が、
各タイプの緊急サービスのための、もしくは各緊急呼電話番号のための、少なくとも１つのクリア・テキスト・メッセージに関連し、および／または、
各タイプの緊急サービスのための、もしくは各緊急呼電話番号のための、少なくとも１つのオーディオ・メッセージに関連し、および／または、
各タイプの緊急サービスのための、もしくは各緊急呼電話番号のための、少なくとも１つのグラフィカル情報に関連し、
前記第１のステップの間および前記パケット交換緊急呼の開始に先立って、前記さらなるプロビジョニング情報が、表示される、またはプレイされる、または別のやり方でシグナリングされる、
請求項１乃至４のいずれか１項に記載の方法。
【請求項６】
前記アクセスネットワーク（１１０）が、複数の基地局エンティティ（１１１、１１２）を含み、前記ユーザ装置（２０）が、前記基地局エンティティ（１１１、１１２）のうちの１つを介して前記電気通信ネットワーク（１００）に接続される、請求項１乃至５のいずれか１項に記載の方法。
【請求項７】
ユーザ装置（２０）による、電気通信ネットワーク（１００）内でのパケット交換緊急呼の改善された取り扱いのためのシステムであって、
前記システムが、前記電気通信ネットワーク（１００）および前記ユーザ装置（２０）を含み、前記パケット交換緊急呼が、前記ユーザ装置（２０）が前記電気通信ネットワーク（１００）に接続されている間に、前記ユーザ装置（２０）によって開始され、または開始されることになり、前記電気通信ネットワーク（１００）が、アクセスネットワーク（１１０）およびコアネットワーク（１２０）を含み、前記アクセスネットワーク（１１０）が、パケット交換指向アクセスネットワーク（１１０）であり、
前記ユーザ装置（２０）が、ローカル緊急サービス情報（２００）を含むか、またはアクセスすることができ、前記ローカル緊急サービス情報（２００）は、前記電気通信ネットワーク（１００）または別の電気通信ネットワーク（１００’）によって前記ユーザ装置（２０）にプロビジョニングまたは提供され、
前記システムが、
前記パケット交換緊急呼が開始され、緊急ユニフォーム・リソース名（２８０）が、前記ユーザ装置（２０）によって前記電気通信ネットワーク（１００）のネットワーク・ノード（１５０）に送信され、ここで、前記緊急ユニフォーム・リソース名（２８０）が、国情報および／またはネットワーク情報と、緊急タイプ情報および緊急呼電話番号情報のうちの少なくとも１つとの両方を含み、
前記パケット交換緊急呼が、公衆安全応答ポイント（１８０）へと転送され、またはルーティングされ、ここで、前記公衆安全応答ポイント（１８０）が、送信された緊急ユニフォーム・リソース名（２８０）に応じて選択される
ように構成される、システム。
【請求項８】
前記公衆安全応答ポイント（１８０）が、
前記緊急ユニフォーム・リソース名（２８０）の前記緊急タイプ情報、および／または前記緊急ユニフォーム・リソース名（２８０）の前記緊急呼電話番号情報に応じて、あるいは、
前記緊急ユニフォーム・リソース名（２８０）の前記国情報および／もしくは前記ネットワーク情報と前記緊急タイプ情報とに応じて、ならびに／または、前記緊急ユニフォーム・リソース名（２８０）の前記国情報および／もしくは前記ネットワーク情報と前記緊急呼電話番号情報とに応じて、のいずれかで選択される
ように構成される請求項７に記載のシステム。
【請求項９】
ユーザ装置（２０）による、電気通信ネットワーク（１００）内でのパケット交換緊急呼の改善された取り扱いのための前記電気通信ネットワーク（１００）であって、
前記パケット交換緊急呼が、前記ユーザ装置（２０）が前記電気通信ネットワーク（１００）に接続されている間に、前記ユーザ装置（２０）によって開始され、または開始されることになり、前記電気通信ネットワーク（１００）が、アクセスネットワーク（１１０）およびコアネットワーク（１２０）を含み、前記アクセスネットワーク（１１０）が、パケット交換指向アクセスネットワーク（１１０）であり、
前記ユーザ装置（２０）が、ローカル緊急サービス情報（２００）を含むか、またはアクセスすることができ、前記ローカル緊急サービス情報（２００）は、前記電気通信ネットワーク（１００）または別の電気通信ネットワーク（１００’）によって前記ユーザ装置（２０）にプロビジョニングまたは提供され、
前記電気通信ネットワーク（１００）が、
前記パケット交換緊急呼が開始され、緊急ユニフォーム・リソース名（２８０）が、前記ユーザ装置（２０）によって前記電気通信ネットワーク（１００）のネットワーク・ノード（１５０）に送信され、ここで、前記緊急ユニフォーム・リソース名（２８０）が、国情報および／またはネットワーク情報と、緊急タイプ情報および緊急呼電話番号情報のうちの少なくとも１つとの両方を含み、
前記パケット交換緊急呼が、公衆安全応答ポイント（１８０）へと転送され、またはルーティングされ、ここで、前記公衆安全応答ポイント（１８０）が、送信された緊急ユニフォーム・リソース名（２８０）に応じて選択される
ように構成される、電気通信ネットワーク（１００）。
【請求項１０】
前記公衆安全応答ポイント（１８０）が、
前記緊急ユニフォーム・リソース名（２８０）の前記緊急タイプ情報、および／または前記緊急ユニフォーム・リソース名（２８０）の前記緊急呼電話番号情報に応じて、あるいは、
前記緊急ユニフォーム・リソース名（２８０）の前記国情報および／もしくは前記ネットワーク情報と前記緊急タイプ情報とに応じて、ならびに／または、前記緊急ユニフォーム・リソース名（２８０）の前記国情報および／もしくは前記ネットワーク情報と前記緊急呼電話番号情報とに応じて、のいずれかで選択される
ように構成される請求項９に記載の電気通信ネットワーク（１００）。
【請求項１１】
ユーザ装置（２０）による、電気通信ネットワーク（１００）内でのパケット交換緊急呼の改善された取り扱いのための前記ユーザ装置（２０）であって、
前記パケット交換緊急呼が、前記ユーザ装置（２０）が前記電気通信ネットワーク（１００）に接続されている間に、前記ユーザ装置（２０）によって開始され、または開始されることになり、前記電気通信ネットワーク（１００）が、アクセスネットワーク（１１０）およびコアネットワーク（１２０）を含み、前記アクセスネットワーク（１１０）が、パケット交換指向アクセスネットワーク（１１０）であり、
前記ユーザ装置（２０）が、ローカル緊急サービス情報（２００）を含むか、またはアクセスすることができ、前記ローカル緊急サービス情報（２００）は、前記電気通信ネットワーク（１００）または別の電気通信ネットワーク（１００’）によって前記ユーザ装置（２０）にプロビジョニングまたは提供され、
前記ユーザ装置（２０）が、
前記パケット交換緊急呼が開始され、緊急ユニフォーム・リソース名（２８０）が、前記ユーザ装置（２０）によって前記電気通信ネットワーク（１００）のネットワーク・ノード（１５０）に送信され、ここで、前記緊急ユニフォーム・リソース名（２８０）が、国情報および／またはネットワーク情報と、緊急タイプ情報および緊急呼電話番号情報のうちの少なくとも１つとの両方を含み、
前記パケット交換緊急呼が、公衆安全応答ポイント（１８０）へと転送され、またはルーティングされ、ここで、前記公衆安全応答ポイント（１８０）が、送信された緊急ユニフォーム・リソース名（２８０）に応じて選択される
ように構成される、ユーザ装置（２０）。
【請求項１２】
前記ローカル緊急サービス情報（２００）が、さらなるプロビジョニング情報の部分を含み、前記さらなるプロビジョニング情報が、
各タイプの緊急サービスのための、もしくは各緊急呼電話番号のための、少なくとも１つのクリア・テキスト・メッセージに関連し、および／または、
各タイプの緊急サービスのための、もしくは各緊急呼電話番号のための、少なくとも１つのオーディオ・メッセージに関連し、および／または、
各タイプの緊急サービスのための、もしくは各緊急呼電話番号のための、少なくとも１つのグラフィカル情報に関連し、
第１のステップの間および前記パケット交換緊急呼の開始に先立って、前記さらなるプロビジョニング情報が、表示される、またはプレイされる、または別のやり方でシグナリングされる、
請求項１１に記載のユーザ装置（２０）。
【請求項１３】
コンピュータ上で、または電気通信ネットワーク（１００）のネットワーク・ノード上で、またはユーザ装置（２０）上で、または前記電気通信ネットワーク（１００）の前記ネットワーク・ノード上の一部でおよび前記ユーザ装置（２０）上の一部で実行されるとき、前記コンピュータ、または前記電気通信ネットワーク（１００）の前記ネットワーク・ノード、または前記ユーザ装置（２０）に、請求項１乃至６のいずれか１項に記載の方法を実施させるコンピュータ・プログラム。
【請求項１４】
ユーザ装置（２０）による、電気通信ネットワーク（１００）内でのパケット交換緊急呼の改善された取り扱いのためのコンピュータが読み取り可能な媒体であって、前記コンピュータが読み取り可能な媒体はコンピュータ・プログラムを含み、前記コンピュータ・プログラムがコンピュータ上で、または電気通信ネットワーク（１００）のネットワーク・ノード上で、またはユーザ装置（２０）上で、または前記電気通信ネットワーク（１００）の前記ネットワーク・ノード上の一部でおよび前記ユーザ装置（２０）上の一部で実行されるとき、前記コンピュータ、または前記電気通信ネットワーク（１００）の前記ネットワーク・ノード、または前記ユーザ装置（２０）に、請求項１乃至６のいずれか１項に記載の方法を実施させるコンピュータ・プログラムを含む、コンピュータが読み取り可能な媒体。
【発明の詳細な説明】
【技術分野】
【０００１】
本発明は、ユーザ装置による、電気通信ネットワーク内でのパケット交換緊急呼の改善された取り扱いのための、および／またはローカル緊急サービス情報の拡張された取り扱いのための、方法に関し、ここで、パケット交換緊急呼は、ユーザ装置が電気通信ネットワークに接続されている間に、ユーザ装置によって開始され、または開始されることになり、電気通信ネットワークは、アクセスネットワークおよびコアネットワークを含み、アクセスネットワークは、パケット交換指向アクセスネットワークであり、ユーザ装置は、その電気通信ネットワークによって、もしくは別の電気通信ネットワークによってユーザ装置にプロビジョニングされる、もしくは提供されるローカル緊急サービス情報を含む、またはローカル緊急サービス情報にアクセスすることができる。
【０００２】
さらに、本発明は、ユーザ装置による、電気通信ネットワーク内でのパケット交換緊急呼の改善された取り扱いのための、および／またはローカル緊急サービス情報の拡張された取り扱いのための、システムに関し、ここで、システムは、電気通信ネットワークおよびユーザ装置を含み、パケット交換緊急呼は、ユーザ装置が電気通信ネットワークに接続されている間に、ユーザ装置によって開始され、または開始されることになり、電気通信ネットワークは、アクセスネットワークおよびコアネットワークを含み、アクセスネットワークは、パケット交換指向アクセスネットワークであり、ユーザ装置は、その電気通信ネットワークによって、もしくは別の電気通信ネットワークによってユーザ装置にプロビジョニングされる、もしくは提供されるローカル緊急サービス情報を含む、またはローカル緊急サービス情報にアクセスすることができる。
【０００３】
また、本発明は、ユーザ装置による、電気通信ネットワーク内でのパケット交換緊急呼の改善された取り扱いのための、および／またはローカル緊急サービス情報の拡張された取り扱いのための、電気通信ネットワークに関し、ここで、パケット交換緊急呼は、ユーザ装置が電気通信ネットワークに接続されている間に、ユーザ装置によって開始され、または開始されることになり、電気通信ネットワークは、アクセスネットワークおよびコアネットワークを含み、アクセスネットワークは、パケット交換指向アクセスネットワークであり、ユーザ装置は、その電気通信ネットワークによって、もしくは別の電気通信ネットワークによってユーザ装置にプロビジョニングされる、もしくは提供されるローカル緊急サービス情報を含む、またはローカル緊急サービス情報にアクセスすることができる。
【０００４】
また、本発明は、ユーザ装置による、電気通信ネットワーク内でのパケット交換緊急呼の改善された取り扱いのための、および／またはローカル緊急サービス情報の拡張された取り扱いのための、ユーザ装置に関し、ここで、パケット交換緊急呼は、ユーザ装置が電気通信ネットワークに接続されている間に、ユーザ装置によって開始され、または開始されることになり、電気通信ネットワークは、アクセスネットワークおよびコアネットワークを含み、アクセスネットワークは、パケット交換指向アクセスネットワークであり、ユーザ装置は、その電気通信ネットワークによって、もしくは別の電気通信ネットワークによってユーザ装置にプロビジョニングされる、もしくは提供されるローカル緊急サービス情報を含む、またはローカル緊急サービス情報にアクセスすることができる。
【０００５】
加えて、本発明は、ユーザ装置による、電気通信ネットワーク内でのパケット交換緊急呼の改善された取り扱いのための、および／またはローカル緊急サービス情報の拡張された取り扱いのための、プログラム、ならびにコンピュータ・プログラム製品に関する。
【背景技術】
【０００６】
通例、緊急サービスおよび緊急呼電話番号は、国内規制に従った番号計画によってローカルに定義されている。ローカル緊急呼電話番号、およびオプションで緊急呼電話番号に関連したカテゴリ情報を、ユーザ装置にプロビジョニングすることが可能である（３ＧＰＰ  ＴＳ  ２４．００８）。そのようなカテゴリ情報が含まれる場合、ＵＥは、緊急ユニフォーム・リソース名（ＵＲＮ）（ｓｏｓ−ＵＲＮ）を作成することができる。しかしながら、カテゴリ情報は、回線交換緊急呼用にのみ使用されており、７つのカテゴリ（すなわち、火災、救急車、警察、山岳救助、海難救助、自動ｅコール、手動ｅコール）しか利用可能ではない。その他すべてのプロビジョニングされる緊急呼電話番号は、上位レベルのｓｏｓ−ＵＲＮに変換され、ここで、（ユーザが連絡を取ろうとしている）特定の緊急サービスは、ネットワークによって区別され得ず、呼は、ユーザが連絡を取ろうとしている特定のカテゴリ／タイプ（たとえば、火災、救急車、警察、その他）を担当する特定の公衆安全応答ポイントへと自動的にルーティングされない。このようにして、とりわけパケット交換緊急呼のための緊急呼手順は、時間およびリソースを消費する。緊急番号がユーザ装置（たとえば、ＩＰマルチメディア・サブシステム（ＩＭＳ）ユーザ装置、または汎用セッション開始プロトコル（ＳＩＰ）ユーザ装置、その他）にプロビジョニングされず、ユーザがそのような既知でない緊急呼電話番号をダイヤルした場合、ユーザ装置は、ダイヤルされた番号を使用する通常呼としての呼設定を開始することになり、それにより、ホーム・ネットワーク・オペレータによるネットワーク・プロビジョニングにおける高い労力が必要となる。
【発明の概要】
【発明が解決しようとする課題】
【０００７】
本発明の目的は、レイテンシを削減する、および／またはリソースを節約するために、パケット交換緊急呼の、指定された、特定の公衆安全応答ポイントへのルーティングを容易にすることである。
【課題を解決するための手段】
【０００８】
本発明の目的は、ユーザ装置による、電気通信ネットワーク内でのパケット交換緊急呼の改善された取り扱いのための、および／またはローカル緊急サービス情報の拡張された取り扱いのための、方法によって達成され、
パケット交換緊急呼は、ユーザ装置が電気通信ネットワークに接続されている間に、ユーザ装置によって開始され、または開始されることになり、電気通信ネットワークは、アクセスネットワークおよびコアネットワークを含み、アクセスネットワークは、パケット交換指向アクセスネットワークであり、
ユーザ装置は、その電気通信ネットワークによって、もしくは別の電気通信ネットワークによってユーザ装置にプロビジョニングされる、もしくは提供されるローカル緊急サービス情報を含み、またはローカル緊急サービス情報にアクセスすることができ、方法は、少なくとも以下のステップを含む：
第１のステップにおいて、パケット交換緊急呼が開始され、緊急ユニフォーム・リソース名が、ユーザ装置によって電気通信ネットワークのネットワーク・ノードに送信され、ここで、緊急ユニフォーム・リソース名が、国情報および／またはネットワーク情報と、緊急タイプ情報および緊急呼電話番号情報のうちの少なくとも１つとの両方を含み、
第１のステップに続く第２のステップにおいて、パケット交換緊急呼が、公衆安全応答ポイントへと転送され、またはルーティングされ、ここで、公衆安全応答ポイントが、送信された緊急ユニフォーム・リソース名に応じて選択される。
【０００９】
それによって、本発明によれば、ユーザ装置による、電気通信ネットワーク内でのパケット交換緊急呼の取り扱いを改善し、ローカル緊急サービス情報の取り扱いを拡張することが都合よく可能である。この目的のために、とりわけ、ユーザ装置によって緊急呼が発せられる、または開始される前に、（たとえば、ローカル緊急サービス情報をユーザ装置に提供し、前記情報をユーザ装置のローカル・ストレージ内に記憶することによって、または、ローカル緊急サービス情報を、ユーザ装置によって取り出し可能であるような方式で、たとえばユーザ装置によってアクセスされ得る電気通信ネットワークのデータベース内に提供することによって）ローカル緊急サービス情報が、ユーザ装置にプロビジョニングされる、または提供されることが可能である。緊急ユニフォーム・リソース名（「ｓｏｓ．ＵＲＮ」）は、ローカル緊急サービス情報に含まれるプロビジョニング情報の部分に含まれること、またはプロビジョニング情報の部分から（とりわけユーザ装置によって）生成され得ることが、とりわけ可能である。第１のステップ内で、パケット交換緊急呼は、（ユーザ装置によって、またはユーザ装置のユーザによって、たとえば、アクセス・ローカル緊急サービス情報の一部として、ユーザ装置にプロビジョニングされている、または提供されている緊急呼電話番号をダイヤルすることによって）開始され、緊急ユニフォーム・リソース名は、ユーザ装置によって、電気通信ネットワークのネットワーク・ノードに送信される。緊急ユニフォーム・リソース名は、国情報および／またはネットワーク情報と、緊急タイプ情報および緊急呼電話番号情報のうちの少なくとも１つとの両方を都合よく含み、それにより、電気通信ネットワークが、緊急呼を（指定された、特定の）公衆安全応答ポイントへとルーティングする、または転送することを可能にする。（指定された、特定の）公衆安全応答ポイントは、（とりわけ電気通信ネットワーク、またはそのエンティティによって）送信された緊急ユニフォーム・リソース名に応じて選択されることが可能であり、それは、少なくとも、国情報および／またはネットワーク情報、ならびに緊急タイプ情報および／または緊急呼電話番号情報が緊急ユニフォーム・リソース名に含まれており、それにより、そのパケット交換緊急呼のための（指定された）公衆安全応答ポイントを識別することが可能になるからである。結果として、パケット交換緊急呼は、自動化された方式で、（特定の、指定された）公衆安全応答ポイントへとルーティングされる／転送されることが都合よく可能であり、それにより、最新の技術から知られている方法と比較して、リソースおよび時間を節約する。
【００１０】
本発明による方法の一実施形態によれば、公衆安全応答ポイントは、
緊急ユニフォーム・リソース名の緊急タイプ情報、および／または緊急ユニフォーム・リソース名の緊急呼電話番号情報に応じて、あるいは、
緊急ユニフォーム・リソース名の国情報および／もしくはネットワーク情報と緊急タイプ情報とに応じて、ならびに／または、緊急ユニフォーム・リソース名の国情報および／もしくはネットワーク情報と緊急呼電話番号情報とに応じて、のいずれかで選択される。
【００１１】
それによって、本発明の一実施形態によれば、国情報および／またはネットワーク情報が、モバイル国コード（ｍｃｃ）および／もしくはモバイル・ネットワーク・コード（ｍｎｃ）および／もしくは公衆ランド・モバイル・ネットワーク識別子（ｐｌｍｎ−ｉｄ）を含む、またはそれらに対応することが都合よく可能である。国情報は、実際の国コード（たとえば、ＩＳＯ３１６６−１、たとえば、「ｄｅ」、「ｉｔ」、その他）を含む、または実際の国コードに対応することもまた都合よく可能である。
【００１２】
本発明による方法の一実施形態によれば、アクセスネットワークは、パケット交換専用アクセスネットワークであり、とりわけコアネットワークは、パケット交換コアネットワークであり、とりわけ公衆安全応答ポイントは、回線交換ネットワークを介してコアネットワークに接続される、ならびに／または、とりわけアクセスネットワークおよび／もしくはコアネットワークは、パケット交換緊急呼を取り扱うために特化したネットワーク・スライスである、またはパケット交換緊急呼を取り扱うために特化したネットワーク・スライスに対応する。
【００１３】
それによって、本発明の一実施形態によれば、パケット交換緊急呼は、少なくとも、ユーザ装置とコアネットワーク（のエンティティ）との間でパケット交換を使用して送信されることが都合よく可能である。しかしながら、パケット交換緊急呼は、回線交換ネットワークを介して（すなわち、回線交換を介して）、コアネットワーク（のエンティティ）から公衆安全応答ポイントに送信されることが、とりわけ都合よく可能である。本発明の一実施形態によれば、コアネットワークは、（とりわけ、５Ｇネットワークの）パケット交換緊急呼を取り扱うために特化したネットワーク・スライスである、またはパケット交換緊急呼を取り扱うために特化したネットワーク・スライスに対応することもまた都合よく可能である。
【００１４】
本発明による方法の一実施形態によれば、ローカル緊急サービス情報は、とりわけ７つのタイプよりも多い緊急サービスに関連した、異なる緊急サービスに関連したおよび／または異なる緊急呼電話番号に関連したプロビジョニング情報の部分を含み、緊急ユニフォーム・リソース名は、ローカル緊急サービス情報のプロビジョニング情報の少なくとも１つの部分に関連し、プロビジョニング情報のその部分は、各タイプの緊急サービスのための、および／または各緊急呼電話番号のための、緊急ユニフォーム・リソース名をとりわけ含む。
【００１５】
それによって、（とりわけ、各タイプの緊急サービスおよび／または各緊急呼電話番号のための）緊急ユニフォーム・リソース名は、ローカル緊急サービス情報に含まれること、またはローカル緊急サービス情報に含まれるプロビジョニング情報の部分から（とりわけユーザ装置によって）生成され得ることが都合よく可能である。
【００１６】
本発明による方法の一実施形態によれば、ローカル緊急サービス情報は、さらなるプロビジョニング情報の部分を含み、さらなるプロビジョニング情報は、
各タイプの緊急サービスのための、もしくは各緊急呼電話番号のための、少なくとも１つのクリア・テキスト・メッセージに関連し、および／または、
各タイプの緊急サービスのための、もしくは各緊急呼電話番号のための、少なくとも１つのオーディオ・メッセージに関連し、および／または、
各タイプの緊急サービスのための、もしくは各緊急呼電話番号のための、少なくとも１つのグラフィカル情報に関連し、
第１のステップの間およびパケット交換緊急呼の開始に先立って、さらなるプロビジョニング情報が、表示される、またはプレイされる、または別のやり方でシグナリングされる。
【００１７】
それによって、緊急呼を開始する前に（または開始し始めるときに）、さらなるプロビジョニング情報が、ユーザに表示される、プレイされる、または別の方式でシグナリングされることが都合よく可能である。（ローカル緊急サービス情報を介して／ローカル緊急サービス情報の一部として）ユーザ装置にプロビジョニングされた、各タイプの緊急サービスのために、または各緊急呼電話番号のために、特定のクリア・テキスト・メッセージ、アイコン、ピクトグラム、ビデオ・メッセージ、オーディオ・メッセージなどがユーザに表示され、もしくはプレイされ（または、たとえばユーザ装置のメニューを介してユーザにアクセス可能であり）、その結果、ユーザは、正しい緊急呼電話番号をダイヤルする／選択することによってパケット交換緊急呼を開始することができ、結果的に（ユーザが呼びたい／アクセスしたい公衆安全応答ポイントの緊急呼電話番号をたとえ知らなくても）、正しい緊急ユニフォーム・リソース名を送信することが可能である。
【００１８】
本発明による方法の一実施形態によれば、アクセスネットワークは、複数の基地局エンティティを含み、ユーザ装置は、基地局エンティティのうちの１つを介して電気通信ネットワークに接続される。
【００１９】
本発明の一実施形態によれば、電気通信ネットワークは、セッション開始プロトコル（ＳＩＰ）ベースの電気通信ネットワークであり、好ましくは、電気通信ネットワークは、ＩＰマルチメディア・サービスを配信することが可能な、ＩＰマルチメディア・サブシステムまたはＩＰマルチメディア・コアネットワーク・サブシステム（ＩＭＳ）ネットワークである。
【００２０】
さらに、本発明は、ユーザ装置による、電気通信ネットワーク内でのパケット交換緊急呼の改善された取り扱いのための、および／またはローカル緊急サービス情報の拡張された取り扱いのための、システムに関し、
システムは、電気通信ネットワークおよびユーザ装置を含み、パケット交換緊急呼は、ユーザ装置が電気通信ネットワークに接続されている間に、ユーザ装置によって開始され、または開始されることになり、電気通信ネットワークは、アクセスネットワークおよびコアネットワークを含み、アクセスネットワークは、パケット交換指向アクセスネットワークであり、
ユーザ装置は、その電気通信ネットワークによって、もしくは別の電気通信ネットワークによってユーザ装置にプロビジョニングされる、もしくは提供されるローカル緊急サービス情報を含み、またはローカル緊急サービス情報にアクセスすることができ、システムは、
パケット交換緊急呼が開始され、緊急ユニフォーム・リソース名が、ユーザ装置によって電気通信ネットワークのネットワーク・ノードに送信され、ここで、緊急ユニフォーム・リソース名が、国情報および／またはネットワーク情報と、緊急タイプ情報および緊急呼電話番号情報のうちの少なくとも１つとの両方を含み、
パケット交換緊急呼が、公衆安全応答ポイントへと転送され、またはルーティングされ、ここで、公衆安全応答ポイントが、送信された緊急ユニフォーム・リソース名に応じて選択される
ように構成される。
【００２１】
本発明によるシステムの一実施形態によれば、システムは、公衆安全応答ポイントが、
緊急ユニフォーム・リソース名の緊急タイプ情報、および／または緊急ユニフォーム・リソース名の緊急呼電話番号情報に応じて、あるいは、
緊急ユニフォーム・リソース名の国情報および／もしくはネットワーク情報と緊急タイプ情報とに応じて、ならびに／または、緊急ユニフォーム・リソース名の国情報および／もしくはネットワーク情報と緊急呼電話番号情報とに応じて、のいずれかで選択される
ように構成される。
【００２２】
さらに、本発明は、ユーザ装置による、電気通信ネットワーク内でのパケット交換緊急呼の改善された取り扱いのための、および／またはローカル緊急サービス情報の拡張された取り扱いのための、電気通信ネットワークに関し、
パケット交換緊急呼は、ユーザ装置が電気通信ネットワークに接続されている間に、ユーザ装置によって開始され、または開始されることになり、電気通信ネットワークは、アクセスネットワークおよびコアネットワークを含み、アクセスネットワークは、パケット交換指向アクセスネットワークであり、
ユーザ装置は、その電気通信ネットワークによって、もしくは別の電気通信ネットワークによってユーザ装置にプロビジョニングされる、もしくは提供されるローカル緊急サービス情報を含み、またはローカル緊急サービス情報にアクセスすることができ、電気通信ネットワークは、
パケット交換緊急呼が開始され、緊急ユニフォーム・リソース名が、ユーザ装置によって電気通信ネットワークのネットワーク・ノードに送信され、ここで、緊急ユニフォーム・リソース名が、国情報および／またはネットワーク情報と、緊急タイプ情報および緊急呼電話番号情報のうちの少なくとも１つとの両方を含み、
パケット交換緊急呼が、公衆安全応答ポイントへと転送され、またはルーティングされ、ここで、公衆安全応答ポイントが、送信された緊急ユニフォーム・リソース名に応じて選択される
ように構成される。
【００２３】
本発明による電気通信ネットワークの一実施形態によれば、電気通信ネットワークは、公衆安全応答ポイントが、
緊急ユニフォーム・リソース名の緊急タイプ情報、および／または緊急ユニフォーム・リソース名の緊急呼電話番号情報に応じて、あるいは、
緊急ユニフォーム・リソース名の国情報および／もしくはネットワーク情報と緊急タイプ情報とに応じて、ならびに／または、緊急ユニフォーム・リソース名の国情報および／もしくはネットワーク情報と緊急呼電話番号情報とに応じて、のいずれかで選択される
ように構成される。
【００２４】
また、本発明は、ユーザ装置による、電気通信ネットワーク内でのパケット交換緊急呼の改善された取り扱いのための、および／またはローカル緊急サービス情報の拡張された取り扱いのための、ユーザ装置に関し、
パケット交換緊急呼は、ユーザ装置が電気通信ネットワークに接続されている間に、ユーザ装置によって開始され、または開始されることになり、電気通信ネットワークは、アクセスネットワークおよびコアネットワークを含み、アクセスネットワークは、パケット交換指向アクセスネットワークであり、
ユーザ装置は、その電気通信ネットワークによって、もしくは別の電気通信ネットワークによってユーザ装置にプロビジョニングされる、もしくは提供されるローカル緊急サービス情報を含み、またはローカル緊急サービス情報にアクセスすることができ、ユーザ装置は、
パケット交換緊急呼が開始され、緊急ユニフォーム・リソース名が、ユーザ装置によって電気通信ネットワークのネットワーク・ノードに送信され、ここで、緊急ユニフォーム・リソース名が、国情報および／またはネットワーク情報と、緊急タイプ情報および緊急呼電話番号情報のうちの少なくとも１つとの両方を含み、
パケット交換緊急呼が、公衆安全応答ポイントへと転送され、またはルーティングされ、ここで、公衆安全応答ポイントが、送信された緊急ユニフォーム・リソース名に応じて選択される
ように構成される。
【００２５】
本発明によるユーザ装置の一実施形態によれば、ローカル緊急サービス情報は、さらなるプロビジョニング情報の部分を含み、さらなるプロビジョニング情報は、
各タイプの緊急サービスのための、もしくは各緊急呼電話番号のための、少なくとも１つのクリア・テキスト・メッセージに関連し、および／または、
各タイプの緊急サービスのための、もしくは各緊急呼電話番号のための、少なくとも１つのオーディオ・メッセージに関連し、および／または、
各タイプの緊急サービスのための、もしくは各緊急呼電話番号のための、少なくとも１つのグラフィカル情報に関連し、
第１のステップの間およびパケット交換緊急呼の開始に先立って、さらなるプロビジョニング情報は、表示される、またはプレイされる、または別のやり方でシグナリングされる。
【００２６】
加えて、本発明は、コンピュータ上で、または電気通信ネットワークのネットワーク・ノード上で、またはユーザ装置上で、または電気通信ネットワークのネットワーク・ノード上の一部でおよびユーザ装置上の一部で実行されるとき、コンピュータ、または電気通信ネットワークのネットワーク・ノード、またはユーザ装置に、本発明による方法を実施させるコンピュータ可読プログラム・コードを含むプログラムに関する。
【００２７】
なおも加えて、本発明は、ユーザ装置による、電気通信ネットワーク内でのパケット交換緊急呼の改善された取り扱いのための、および／またはローカル緊急サービス情報の拡張された取り扱いのための、コンピュータ・プログラム製品に関し、コンピュータ・プログラム製品は、ストレージ媒体上に記憶されたコンピュータ・プログラムを含み、コンピュータ・プログラムは、コンピュータ上で、または電気通信ネットワークのネットワーク・ノード上で、またはユーザ装置上で、または電気通信ネットワークのネットワーク・ノード上の一部でおよびユーザ装置上の一部で実行されるとき、コンピュータ、または電気通信ネットワークのネットワーク・ノード、またはユーザ装置に、本発明による方法を実施させるプログラム・コードを含む。
【００２８】
本発明のこれらの、ならびに他の特性、特徴、および利点は、例として本発明の原理を例示する、付属の図面と併用される以下の詳細な説明から、明らかになるであろう。説明は、本発明の範囲を限定することなく、例のためにのみ与えられる。下記で引用される参照図は、添付された図面を指す。
【図面の簡単な説明】
【００２９】
【図１】本発明の一実施形態による電気通信ネットワークを含むシステムを概略的に例示する図である。
【図２】本発明の一実施形態による方法を概略的に例示する図である。
【発明を実施するための形態】
【００３０】
本発明は、個別の実施形態に関して、および一定の図面を参照して説明されるが、本発明は、それらには限定されず、特許請求の範囲によってのみ限定される。説明される図面は、もっぱら概略的であり、非限定的である。図面において、要素のうちのいくつかのサイズは、誇張されていることがあり、例示目的のために原寸に比例して描かれていないことがある。
【００３１】
単数名詞を指すときに、不定冠詞または定冠詞、たとえば、「ａ」、「ａｎ」、「ｔｈｅ」が使用される場合、これは、それ以外の何かが具体的に述べられない限り、複数のその名詞を含む。
【００３２】
さらに、本説明および特許請求の範囲における第１の、第２の、第３のなどの用語は、必ずしも順次的または時系列的な順番を説明するためではなく、類似した要素間を区別するために使用される。そのように使用される用語は、適切な状況下では交換可能であること、および本明細書で説明される本発明の実施形態は、本明細書で説明される、または例示される順序以外での動作が可能であることを理解されたい。
【００３３】
図１において、本発明の一実施形態による電気通信ネットワーク１００を含むシステムが概略的に例示されている。電気通信ネットワーク１００は、アクセスネットワーク１１０およびコアネットワーク１２０を含む。アクセスネットワーク１１０は、一般的に、複数の基地局エンティティ１１１、１１２を含む。ユーザ装置２０は、基地局エンティティ１１０を介して、電気通信ネットワーク１００に接続されている。好ましくは、アクセスネットワーク１１０は、パケット交換指向アクセスネットワーク１１０であり、コアネットワーク１２０は、パケット交換コアネットワーク１２０であり、ならびに／または、アクセスネットワーク１１０および／もしくはコアネットワーク１２０は、パケット交換緊急呼を取り扱うために特化したネットワーク・スライスである、またはパケット交換緊急呼を取り扱うために特化したネットワーク・スライスに対応する。さらに、電気通信ネットワーク１００は、ネットワーク・ノード１５０を、とりわけ、コアネットワーク１２０の一部として含む（通例、電気通信ネットワーク１００は、多数のネットワーク・ノードを含む）。加えて、公衆安全応答ポイント１８０は、コアネットワーク１２０に接続されている、またはコアネットワーク１２０の一部である。公衆安全応答ポイント１８０は、回線交換ネットワークを介して、コアネットワーク１２０（好ましくは、パケット交換指向コアネットワーク１２０である）に接続されることもまた可能である。
【００３４】
図２において、本発明の一実施形態による方法が概略的に例示されている。ここで、パケット交換緊急呼は、ユーザ装置２０が電気通信ネットワーク１００に接続されている間に、ユーザ装置２０によって開始される、または開始されることになる。電気通信ネットワーク１００は、アクセスネットワーク１１０およびコアネットワーク１２０を含む。アクセスネットワーク１１０は、パケット交換指向アクセスネットワーク１１０である。ユーザ装置２０は、（たとえば、ユーザ装置２０のストレージ要素内に）ローカル緊急サービス情報２００を含む、および／または、（たとえば、パケット交換緊急呼がユーザ装置によって開始される、もしくは開始されることになるときの時点で、またはパケット交換緊急呼がユーザ装置によって開始される、もしくは開始されることになる前の時点で、電気通信ネットワーク１００の一部であってユーザ装置２０によってアクセス可能なデータベースから）ローカル緊急サービス情報２００にアクセスすることができる。ローカル緊急サービス情報２００は、電気通信ネットワーク１００によって、または別の電気通信ネットワーク１００’によって、ユーザ装置２０にプロビジョニングされる、もしくは提供される（または、パケット交換緊急呼が開始される、もしくは開始されることになるよりも十分に前もって提供されている）ことが好ましい。ローカル緊急サービス情報２００は、異なる緊急サービスに関連した、および／または異なる緊急呼電話番号に関連したプロビジョニング情報の部分をとりわけ含む（すなわち、異なる緊急呼電話番号および／または異なる緊急サービスに関する、もしくは関係する、もしくはそれを規定するプロビジョニング情報の部分は、緊急サービス情報２００の一部である）。緊急サービス情報２００は、７つのタイプよりも多い緊急サービスに関連することが好ましくは可能である。第１のステップにおいて、パケット交換緊急呼は、たとえば、ユーザ装置２０に（とりわけ、ローカル緊急サービス情報２００の一部として）プロビジョニングされている、または提供されている緊急呼電話番号をダイヤルするときに、ユーザによって開始される。ここで、第１の処理ステップ３０１において、緊急ユニフォーム・リソース名２８０が、ユーザ装置２０によって、電気通信ネットワーク１００のネットワーク・ノード１５０に（場合によって、電気通信ネットワークの中間ネットワーク・ノードを介して）送信される。緊急ユニフォーム・リソース名２８０は、国情報および／またはネットワーク情報と、緊急タイプ情報および緊急呼電話番号情報のうちの少なくとも１つとの両方を含む。好ましくは、緊急ユニフォーム・リソース名２８０は、ローカル緊急サービス情報２００のプロビジョニング情報の少なくとも１つの部分に関連する。緊急ユニフォーム・リソース名２８０は、ローカル緊急サービス情報２００に含まれる（もしくはその一部である）こと、または緊急ユニフォーム・リソース名２８０は、ローカル緊急サービス情報２００に含まれるプロビジョニング情報の少なくとも１つの部分に含まれる（もしくはその一部である）ことが可能である。緊急ユニフォーム・リソース名２８０は、ローカル緊急サービス情報２００に含まれるプロビジョニング情報の少なくとも１つの部分に基づいて、とりわけ、ユーザ装置２０によって生成されることもまた可能である。第１のステップに続く第２のステップにおいて、パケット交換緊急呼は、（好ましくは、緊急ユニフォーム・リソース名２８０に含まれた緊急タイプ情報および／もしくは緊急呼電話番号情報に関連付けられた、ならびに／または、好ましくは、緊急ユニフォーム・リソース名２８０に含まれた緊急タイプ情報および／もしくは緊急呼電話番号情報に関連した着信緊急呼を取り扱う／受信することを担当する）公衆安全応答ポイント１８０へと転送される、またはルーティングされる。この目的のために、緊急呼は、第２の処理ステップ３０２内で、ネットワーク・ノード１５０から公衆安全応答ポイント１８０に、とりわけ送信される。公衆安全応答ポイント１８０は、送信された緊急ユニフォーム・リソース名２８０に応じて、（電気通信ネットワーク１００、または電気通信ネットワーク１００のあるネットワーク・ノードもしくはネットワーク・ノード１５０によって、好ましくは自動的に）選択される。したがって、パケット交換緊急呼は、着信緊急呼を取り扱うことを担当する（特定の）公衆安全応答ポイント１８０に直接、ルーティングされる、または転送される、または送信されることが可能である。このようにして、パケット交換緊急呼が最初に一般の公衆安全応答ポイントにルーティングされ、一般の公衆安全応答ポイントから、緊急タイプ情報および／または緊急呼電話番号情報に関連した着信緊急呼を取り扱うこと（かつ、特には、パケット交換緊急呼を開始するときにユーザによってダイヤルされた番号の緊急呼を取り扱うこと）を担当する（特定の）公衆安全応答ポイント１８０へと転送されなければならないことを、回避することができる。
【００３５】
緊急タイプ情報が緊急ユニフォーム・リソース名に含まれた、本発明の一実施形態による緊急ユニフォーム・リソース名は、以下のようになることが可能である。
ネットワークの場所−番号＋カテゴリ−緊急ユニフォーム・リソース名−クリア・テキスト・メッセージ：
ＭＣＣ：２２２−１１７（ｎｏｔ  ｃａｔ．）−ｓｏｓ．ｃｏｕｎｔｒｙ−ｓｐｅｃｉｆｉｃ．ｍｃｃ２２２．ｆｉｎａｎｚａ−“Ｆｉｎａｎｚｅ  Ｇｕａｒｄ”
ＭＣＣ：２２２−１１３（ｎｏｔ  ｃａｔ．）−ｓｏｓ．ｃｏｕｎｔｒｙ−ｓｐｅｃｉｆｉｃ．ｍｃｃ２２２．ｐｏｌｉｚｉａ−“Ｐｏｌｉｚｉａ”
ＭＣＣ：２２２−１１２（ｎｏｔ  ｃａｔ．）−ｓｏｓ．ｃｏｕｎｔｒｙ−ｓｐｅｃｉｆｉｃ．ｍｃｃ２２２．ｃａｒａｂｉｎｅｒｉ−“Ｃａｒａｂｉｎｉｅｒｉ”
緊急呼電話番号情報が緊急ユニフォーム・リソース名に含まれた、本発明の一実施形態による緊急ユニフォーム・リソース名は、以下のようになることが可能である。
ネットワークの場所−番号＋カテゴリ−緊急ユニフォーム・リソース名：
ＭＣＣ：２２２−１１７（ｎｏｔ  ｃａｔ．）−ｓｏｓ．ｃｏｕｎｔｒｙ−ｓｐｅｃｉｆｉｃ．ｍｃｃ２２２．１１７
ＭＣＣ：２２２−１１３（ｎｏｔ  ｃａｔ．）−ｓｏｓ．ｃｏｕｎｔｒｙ−ｓｐｅｃｉｆｉｃ．ｍｃｃ２２２．１１３
ＭＣＣ：２２２−１１２（ｎｏｔ  ｃａｔ．）−ｓｏｓ．ｃｏｕｎｔｒｙ−ｓｐｅｃｉｆｉｃ．ｍｃｃ２２２．１１２
【図１】
0006731122.tif 000002
【図２】
0006731122.tif 000003